(57)【要約】【課題】複数のサービングセルを介したアップリンクデータ送信方法及び装置を提供する。【解決手段】複数のサービングセルを介した端末のアップリンク送信方法は、端末が第１のサービングセルに対する第１のＴＡＣ(ｔｉｍｉｎｇ ａｄｖａｎｃｅ ｃｏｍｍａｎｄ)及び第２のサービングセルに対する第２のＴＡＣを受信するステップと、タイミング差が閾値以下かどうかに基づいて端末が第２のサービングセルを介してアップリンクデータを送信するかどうかを決定するステップを含み、タイミング差は、第１のＴＡＣと第２のＴＡＣに基づいて取得され、第１のサービングセルは、タイミング差に関係なく常にアップリンク送信が可能となるように設定されたセルである。【選択図】図１０
2017195644.tif 000002
【特許請求の範囲】
【請求項１】
複数のサービングセルを介した端末のアップリンク送信方法において、
前記端末が第１のサービングセルに対する第１のＴＡＣ(ｔｉｍｉｎｇ ａｄｖａｎｃｅ ｃｏｍｍａｎｄ)及び第２のサービングセルに対する第２のＴＡＣを受信するステップと、
タイミング差が閾値以下かどうかに基づいて前記端末が前記第２のサービングセルを介してアップリンクデータを送信するかどうかを決定するステップとを含み、
前記タイミング差は、前記第１のＴＡＣと前記第２のＴＡＣに基づいて取得され、
前記第１のサービングセルは、前記タイミング差に関係なく常にアップリンク送信が可能となるように設定されたセルである、端末のアップリンク送信方法。
【請求項２】
前記アップリンクデータを送信するかどうかを決定するステップは、
前記タイミング差が前記閾値以下である場合、前記端末が前記第２のＴＡＣを前記第２のサービングセルに適用して前記アップリンクデータを送信することに決定するステップと、
前記タイミング差が前記閾値超過である場合、前記端末が前記第２のサービングセルで前記アップリンクデータを送信しないことに決定するステップとを含む、請求項１に記載の端末のアップリンク送信方法。
【請求項３】
前記アップリンクデータを送信するかどうかを決定するステップは、
前記タイミング差が前記閾値以下である場合、前記端末が前記第２のＴＡＣを前記第２のサービングセルに適用して前記アップリンクデータを送信することに決定するステップと、
前記タイミング差が前記閾値超過である場合、前記端末が第２のＴＡＣより小さいＴＡＣを前記第２のサービングセルに適用して前記アップリンクデータを送信することに決定するステップとをさらに含む、請求項１に記載の端末のアップリンク送信方法。
【請求項４】
前記タイミング差は、前記第１のサービングセルを介して送信された第１のダウンリンクサブフレームのサブフレームバウンダリタイミング及び前記第２のサービングセルを介して送信された第２のダウンリンクサブフレームのサブフレームバウンダリタイミングをさらに考慮して決定される、請求項１に記載の端末のアップリンク送信方法。
【請求項５】
前記第１のサービングセルはＰ(ｐｒｉｍａｒｙ)−セルであり、
前記第２のサービングセルはＳ(ｓｅｃｏｎｄａｒｙ)−セルであり、
前記Ｐ−セルは前記Ｓ−セルの活性化を決定する、請求項１に記載の端末のアップリンク送信方法。
【請求項６】
複数のサービングセルを介したアップリンク送信を実行する端末において、
前記端末は、
無線信号を送信及び受信するために具現されたＲＦ(ｒａｄｉｏ ｆｒｅｑｕｅｎｃｙ)部と、
前記ＲＦ部と選択的に連結されるプロセッサとを含み、
前記プロセッサは、
第１のサービングセルに対する第１のＴＡＣ(ｔｉｍｉｎｇ ａｄｖａｎｃｅ ｃｏｍｍａｎｄ)及び第２のサービングセルに対する第２のＴＡＣを受信し、
タイミング差が閾値以下か否かに基づいて前記端末が前記第２のサービングセルを介してアップリンクデータを送信するか否かを決定するように構成され、
前記タイミング差は、前記第１のＴＡＣと前記第２のＴＡＣに基づいて取得され、
前記第１のサービングセルは、前記タイミング差に関係なく常にアップリンク送信が可能となるように設定されたセルである、端末。
【請求項７】
前記プロセッサは、前記タイミング差が前記閾値以下である場合、前記第２のＴＡＣを前記第２のサービングセルに適用して前記アップリンクデータを送信するように決定し、前記タイミング差が前記閾値超過である場合、前記第２のサービングセルで前記アップリンクデータを送信しないように決定するように構成された、請求項６に記載の端末。
【請求項８】
前記プロセッサは、前記タイミング差が前記閾値以下である場合、前記第２のＴＡＣを前記第２のサービングセルに適用して前記アップリンクデータを送信するように決定し、前記タイミング差が前記閾値超過である場合、第２のＴＡＣより小さいＴＡＣを前記第２のサービングセルに適用して前記アップリンクデータを送信するように決定するように構成された、請求項６に記載の端末。
【請求項９】
前記タイミング差は、前記第１のサービングセルを介して送信された第１のダウンリンクサブフレームのサブフレームバウンダリタイミング及び前記第２のサービングセルを介して送信された第２のダウンリンクサブフレームのサブフレームバウンダリタイミングをさらに考慮して決定される、請求項６に記載の端末。
【請求項１０】
前記第１のサービングセルはＰ(ｐｒｉｍａｒｙ)−セルであり、
前記第２のサービングセルはＳ(ｓｅｃｏｎｄａｒｙ)−セルであり、
前記Ｐ−セルは前記Ｓ−セルの活性化を決定する、請求項６に記載の端末。
【発明の詳細な説明】
【技術分野】
【０００１】
本発明は、無線通信に関し、より詳しくは、アップリンクデータを送信する方法及び装置に関する。
【背景技術】
【０００２】
３ＧＰＰ(３ｒｄ Ｇｅｎｅｒａｔｉｏｎ Ｐａｒｔｎｅｒｓｈｉｐ Ｐｒｏｊｅｃｔ)ＴＳ(Ｔｅｃｈｎｉｃａｌ Ｓｐｅｃｉｆｉｃａｔｉｏｎ)リリース(Ｒｅｌｅａｓｅ)８に基づくＬＴＥ(ｌｏｎｇ ｔｅｒｍ ｅｖｏｌｕｔｉｏｎ)は、有力な次世代移動通信標準である。
【０００３】
３ＧＰＰ ＴＳ ３６.２１１ Ｖ８.７.０(２００９−０５)“Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ ８)”に開示されているように、ＬＴＥにおいて、物理チャネルは、ダウンリンクチャネルであるＰＤＳＣＨ(Ｐｈｙｓｉｃａｌ Ｄｏｗｎｌｉｎｋ Ｓｈａｒｅｄ Ｃｈａｎｎｅｌ)とＰＤＣＣＨ(Ｐｈｙｓｉｃａｌ Ｄｏｗｎｌｉｎｋ Ｃｏｎｔｒｏｌ Ｃｈａｎｎｅｌ)、アップリンクチャネルであるＰＵＳＣＨ(Ｐｈｙｓｉｃａｌ Ｕｐｌｉｎｋ Ｓｈａｒｅｄ Ｃｈａｎｎｅｌ)とＰＵＣＣＨ(Ｐｈｙｓｉｃａｌ Ｕｐｌｉｎｋ Ｃｏｎｔｒｏｌ Ｃｈａｎｎｅｌ)に分けられる。ＰＵＣＣＨは、ＨＡＲＱ(ｈｙｂｒｉｄ ａｕｔｏｍａｔｉｃ ｒｅｐｅａｔ ｒｅｑｕｅｓｔ)ＡＣＫ/ＮＡＣＫ信号、ＣＱＩ(Ｃｈａｎｎｅｌ Ｑｕａｌｉｔｙ Ｉｎｄｉｃａｔｏｒ)、ＳＲ(ｓｃｈｅｄｕｌｉｎｇ ｒｅｑｕｅｓｔ)のようなアップリンク制御情報の送信に使われるアップリンク制御チャネルである。
【０００４】
一方、３ＧＰＰ ＬＴＥの進化である３ＧＰＰ ＬＴＥ−Ａ(ａｄｖａｎｃｅｄ)が進行している。３ＧＰＰ ＬＴＥ−Ａに導入される技術にはキャリアアグリゲーション(ｃａｒｒｉｅｒ ａｇｇｒｅｇａｔｉｏｎ：ＣＡ)がある。キャリアアグリゲーションは、複数のコンポーネントキャリア(ｃｏｍｐｏｎｅｎｔ ｃａｒｒｉｅｒ)を使用する。コンポーネントキャリアは、中心周波数と帯域幅により定義される。キャリアアグリゲーションでは複数のコンポーネントキャリアが一つのセルに対応する。複数のダウンリンクコンポーネントキャリアを利用してサービスの提供を受ける端末は、複数のサービングセルからサービスの提供を受けるということができる。キャリアアグリゲーションを使用する場合、端末のアップリンク同期を合わせる問題は、キャリアアグリゲーションを使用しない場合、端末のアップリンク同期を合わせる問題と異なる。
【０００５】
端末間のアップリンク送信による干渉を減らすために、基地局が端末のアップリンク時間同期(ｕｐｌｉｎｋ ｔｉｍｅ ａｌｉｇｎｍｅｎｔ)を維持することは重要である。端末は、セル内の任意の領域に位置することができ、端末が送信するアップリンク信号が基地局に到達するまでの時間は、各端末の位置によって異なる。セルエッジ(ｃｅｌｌ ｅｄｇｅ)に位置する端末の到達時間は、セル中央に位置する端末の到達時間より長い。それに対し、セル中央に位置する端末の到達時間は、セルエッジに位置する端末の到達時間より短い。
【０００６】
端末間の干渉を減らすために、基地局は、セル内の端末が送信したアップリンク信号が毎時間バウンダリ(ｂｏｕｎｄａｒｙ)内で受信されることができるようにスケジューリングすることが必要である。基地局は、各端末の状況によって各端末の送信タイミングを適切に調節しなければならず、このような調節をアップリンク時間同期化という。ランダムアクセス過程は、アップリンク時間同期を維持するための過程のうち一つである。端末は、ランダムアクセス過程を介して時間同期値(ｔｉｍｅ ａｌｉｇｎｍｅｎｔ ｖａｌｕｅ)(または、これをＴＡ(ｔｉｍｉｎｇ ａｄｖａｎｃｅ)値という)を取得し、時間同期値を適用してアップリンク時間同期を維持する。前述したように、３ＧＰＰ ＬＴＥ−Ａでキャリアアグリゲーションが実行された場合、端末でアップリンク時間同期を合わせてアップリンク送信を実行する手順は、キャリアアグリゲーションが実行されない場合と異なるように実行することができる。
【発明の概要】
【発明が解決しようとする課題】
【０００７】
本発明の目的は、複数のサービングセルを介したアップリンクデータ送信方法を提供することである。
【０００８】
本発明の他の目的は、複数のサービングセルを介したアップリンクデータ送信装置を提供することである。
【課題を解決するための手段】
【０００９】
前述した本発明の目的を達成するための本発明の一側面による複数のサービングセルを介した端末のアップリンク送信方法は、前記端末が第１のサービングセルに対する第１のＴＡＣ(ｔｉｍｉｎｇ ａｄｖａｎｃｅ ｃｏｍｍａｎｄ)及び第２のサービングセルに対する第２のＴＡＣを受信するステップと、タイミング差が閾値以下かどうかに基づいて前記端末が前記第２のサービングセルを介してアップリンクデータを送信するかどうかを決定するステップを含み、前記タイミング差は、前記第１のＴＡＣと前記第２のＴＡＣに基づいて取得され、前記第１のサービングセルは、前記タイミング差に関係なく常にアップリンク送信が可能となるように設定されたセルである。
【００１０】
前述した本発明の他の目的を達成するための本発明の一側面による複数のサービングセルを介したアップリンク送信を実行する端末において、前記端末は、無線信号を送信及び受信するために具現されたＲＦ(ｒａｄｉｏ ｆｒｅｑｕｅｎｃｙ)部と、前記ＲＦ部と選択的に連結されるプロセッサとを含み、前記プロセッサは、第１のサービングセルに対する第１のＴＡＣ(ｔｉｍｉｎｇ ａｄｖａｎｃｅ ｃｏｍｍａｎｄ)及び第２のサービングセルに対する第２のＴＡＣを受信し、タイミング差が閾値以下か否かに基づいて前記端末が前記第２のサービングセルを介してアップリンクデータを送信するか否かを決定するように構成され、前記タイミング差は、前記第１のＴＡＣと前記第２のＴＡＣに基づいて取得され、前記第１のサービングセルは、前記タイミング差に関係なく常にアップリンク送信が可能となるように設定されたセルである。
【発明の効果】
【００１１】
端末が複数のサービングセルを介してアップリンク送信を実行する時、各々のサービングセルに対するＴＡ(ｔｉｍｉｎｇ ａｄｖａｎｃｅ)によって、アップリンクデータの送信方法を互いに異なるように決定することによって端末のアップリンクデータ送信効率を上げることができる。
【図面の簡単な説明】
【００１２】
【図１】ＬＴＥ(ｌｏｎｇ ｔｅｒｍ ｅｖｏｌｕｔｉｏｎ)システムにおける無線フレーム(ｒａｄｉｏ ｆｒａｍｅ)の構造を示す。
【図２】ダウンリンクスロットに対するリソースグリッド(ｒｅｓｏｕｒｃｅ ｇｒｉｄ)の一例を示す。
【図３】ダウンリンクサブフレームの構造を示す。
【図４】３ＧＰＰ ＬＴＥでアップリンクサブフレームの構造を示す。
【図５】ＬＴＥ−Ａシステムの多重搬送波(ｍｕｌｔｉｐｌｅ ｃａｒｒｉｅｒ)を示す概念図である。
【図６】３ＧＰＰ ＬＴＥでランダムアクセス過程を示す流れ図である。
【図７】ランダムアクセス応答の一例を示す。
【図８】複数のセル間に伝播特性の差異を示す概念図である。
【図９】複数のＴＡ値に基づく端末のアップリンク送信を示す概念図である。
【図１０】本発明の実施例に係るアップリンク送信方法を示す概念図である。
【図１１】本発明の実施例に係るアップリンク送信方法を示す概念図である。
【図１２】本発明の実施例に係るアップリンク送信方法を示す概念図である。
【図１３】本発明の実施例に係るアップリンク送信方法を示す概念図である。
【図１４】本発明の実施例に係るアップリンク送信方法を示す概念図である。
【図１５】本発明の実施例に係るアップリンク送信方法を示す概念図である。
【図１６】本発明の実施例に係る無線通信システムを示すブロック図である。
【発明を実施するための形態】
【００１３】
端末(Ｕｓｅｒ Ｅｑｕｉｐｍｅｎｔ、ＵＥ)は、固定されてもよいし、移動性を有してもよく、ＭＳ(ｍｏｂｉｌｅ ｓｔａｔｉｏｎ)、ＭＴ(ｍｏｂｉｌｅ ｔｅｒｍｉｎａｌ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)、ＰＤＡ(ｐｅｒｓｏｎａｌ ｄｉｇｉｔａｌ ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)等、他の用語で呼ばれることもある。
【００１４】
基地局は、一般的に端末と通信する固定局(ｆｉｘｅｄ ｓｔａｔｉｏｎ)を意味し、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)等、他の用語で呼ばれることもある。
【００１５】
図１は、ＬＴＥ(ｌｏｎｇ ｔｅｒｍ ｅｖｏｌｕｔｉｏｎ)システムにおける無線フレーム(ｒａｄｉｏ ｆｒａｍｅ)の構造を示す。
【００１６】
３ＧＰＰ ＬＴＥシステムにおいて、無線フレーム１００の構造は、３ＧＰＰ ＴＳ ３６.２１１ Ｖ８.２.０(２００８−０３)“Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ；Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ ｃｈａｎｎｅｌｓ ａｎｄ ｍｏｄｕｌａｔｉｏｎ(Ｒｅｌｅａｓｅ ８)”の５節に開示されている。
【００１７】
図１を参照すると、無線フレーム１００は、１０個のサブフレーム(ｓｕｂｆｒａｍｅ)１２０で構成される。一つのサブフレーム１２０は、２個のスロット(ｓｌｏｔ)１４０で構成される。無線フレーム１００は、スロット＃０からスロット＃１９までのスロット１４０に基づいてインデクシングし、またはサブフレーム１２０によってサブフレーム＃０からサブフレーム＃９までのサブフレームに基づいてインデクシングすることができる。例えば、サブフレーム＃０は、スロット＃０及びスロット＃１を含むことができる。
【００１８】
一つのサブフレーム１２０の送信にかかる時間をＴＴＩ(ｔｒａｎｓｍｉｓｓｉｏｎ ｔｉｍｅ ｉｎｔｅｒｖａｌ)という。ＴＴＩは、データ送信のためのスケジューリング単位である。例えば、一つの無線フレーム１００の長さは１０ｍｓであり、一つのサブフレーム１２０の長さは１ｍｓであり、一つのスロット１４０の長さは０.５ｍｓである。
【００１９】
一つのスロット１４０は、時間領域(ｔｉｍｅ ｄｏｍａｉｎ)で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含み、周波数領域(ｆｒｅｑｕｅｎｃｙ ｄｏｍａｉｎ)で複数の副搬送波を含む。ＬＴＥにおいて、基地局は、ダウンリンクチャネルでアクセス方法としてＯＦＤＭＡを使用する。ＯＦＤＭシンボルは、一つのシンボル区間(ｓｙｍｂｏｌ ｐｅｒｉｏｄ)を表現するためのものであり、多重接続方式によって他の名称で呼ばれることもある。例えば、端末が基地局にデータを送信するアップリンクチャネルでは多重接続方式としてＳＣ−ＦＤＭＡ(ｓｉｎｇｌｅ ｃａｒｒｉｅｒ−ｆｒｅｑｕｅｎｃｙ ｄｉｖｉｓｉｏｎ ｍｕｌｔｉｐｌｅ ａｃｃｅｓｓ)を使用することができる。アップリンクチャネルにデータを送信するシンボル区間は、ＳＣ−ＦＤＭＡシンボルという。
【００２０】
図１に示す無線フレーム１００の構造は、フレーム構造に対する一つの実施例に過ぎない。したがって、無線フレーム１００に含まれるサブフレーム１２０の個数やサブフレーム１２０に含まれるスロット１４０の個数、またはスロット１４０に含まれるＯＦＤＭシンボルの個数を多様に変更して新しい無線フレームフォーマットとして定義することができる。
【００２１】
無線フレームの構造は、どのようなサイクリックプレフィックス(ＣＰ、ｃｙｃｌｉｃ ｐｒｅｆｉｘ)を使用するかによって一つのスロットに含まれるシンボルの個数が変わることができる。例えば、無線フレームがノーマル(ｎｏｒｍａｌ)ＣＰを使用する場合、一つのスロットは、７個のＯＦＤＭシンボルを含むことができる。無線フレームが拡張(ｅｘｔｅｎｄｅｄ)ＣＰを使用する場合、一つのスロットは、６個のＯＦＤＭシンボルを含むことができる。
【００２２】
無線通信システムは、デュープレクシング方式としてＦＤＤ(ｆｒｅｑｕｅｎｃｙ ｄｉｖｉｓｉｏｎ ｄｕｐｌｅｘ)方式及びＴＤＤ(ｔｉｍｅ ｄｉｖｉｓｉｏｎ ｄｕｐｌｅｘ)方式などを使用することができる。ＦＤＤ方式によると、アップリンク送信とダウンリンク送信が互いに異なる周波数帯域に基づいて実行されることができる。ＴＤＤ方式によると、アップリンク送信とダウンリンク送信が同じ周波数帯域を介して実行され、アップリンク送信とダウンリンク送信は時間リソースを分割して実行されることができる。ＴＤＤ方式のチャネル応答は、同じ周波数帯域を使用するため、相互的(ｒｅｃｉｐｒｏｃａｌ)な性格を有することができる。即ち、ＴＤＤ方式では与えられた周波数領域でダウンリンクチャネル応答とアップリンクチャネル応答がほぼ同じである。したがって、ＴＤＤ方式に基づく無線通信システムは、ダウンリンクチャネルのチャネル状態情報をアップリンクチャネルのチャネル状態情報から取得することができる。ＴＤＤ方式は、全体周波数帯域をアップリンク送信とダウンリンク送信に時分割するため、基地局によるダウンリンク送信と端末によるアップリンク送信が同時に実行されることもありえる。
【００２３】
図２は、ダウンリンクスロットに対するリソースグリッド(ｒｅｓｏｕｒｃｅ ｇｒｉｄ)の一例を示す。
【００２４】
ダウンリンクスロットは、時間領域で複数のＯＦＤＭシンボルを含み、周波数領域でＮＲＢ個のリソースブロックを含む。ダウンリンクスロットに含まれるリソースブロックの数であるＮＲＢは、セルで設定されるダウンリンク送信帯域幅(ｂａｎｄｗｉｄｔｈ)によって決定されることができる。例えば、ＬＴＥシステムにおいて、ＮＲＢは、使われる送信帯域幅によって６〜１１０のうちいずれか一つの値である。一つのリソースブロック２００は、周波数領域で複数の副搬送波(ｓｕｂｃａｒｒｉｅｒ)を含むことができる。アップリンクスロットの構造もダウンリンクスロットの構造と同じである。
【００２５】
リソースグリッド上の各要素(ｅｌｅｍｅｎｔ)をリソース要素(ｒｅｓｏｕｒｃｅ ｅｌｅｍｅｎｔ)２２０という。リソースグリッド上のリソース要素２２０は、インデックス対(ｐａｉｒ)である(ｋ,ｌ)により識別されることができる。ここで、ｋ(ｋ＝０,...,ＮＲＢ×１２−１)は、周波数領域で副搬送波のインデックスであり、ｌ(ｌ＝０,...,６)は、時間領域でＯＦＤＭシンボルのインデックスである。
【００２６】
ここで、一つのリソースブロック２００は、時間領域で７個のＯＦＤＭシンボルと、周波数領域で１２個の副搬送波とで構成される７×１２個のリソース要素２２０を含むことができる。このような大きさは、一つの例示に過ぎず、一つのリソースブロック２００を構成するＯＦＤＭシンボルの数と副搬送波の数は変わることができる。リソースブロック対(ｒｅｓｏｕｒｃｅ ｂｌｏｃｋ ｐａｉｒ)は、二つのリソースブロックを含むリソース単位を指示する。
【００２７】
一つのスロットが含むＯＦＤＭシンボルの個数は、前述したように、ＣＰによって異なる値を有することができる。また、全体周波数帯域幅の大きさによって一つのスロットが含むリソースブロックの個数が変わることができる。
【００２８】
図３は、ダウンリンクサブフレームの構造を示す。
【００２９】
ダウンリンクサブフレーム３００は、時間を基準に２個のスロット３１０、３２０に区分されることができる。各スロット３１０、３２０は、ノーマルＣＰで７個のＯＦＤＭシンボルを含む。サブフレーム３００の第１のスロット３１０に含まれている時間上に先行する３個のＯＦＤＭシンボル(１.４Ｍｈｚ帯域幅に対しては最大４ＯＦＤＭシンボル)に該当するリソース領域は、制御チャネルが割り当てられた制御領域(ｃｏｎｔｒｏｌ ｒｅｇｉｏｎ)３５０として使われることができる。残りのＯＦＤＭシンボルは、ＰＤＳＣＨ(ｐｈｙｓｉｃａｌ ｄｏｗｎｌｉｎｋ ｓｈａｒｅｄ ｃｈａｎｎｅｌ)のようなトラフィックチャネルが割り当てられるデータ領域３６０として使われることができる。
【００３０】
ＰＤＣＣＨは、例えば、ＤＬ−ＳＣＨ(ｄｏｗｎｌｉｎｋ−ｓｈａｒｅｄ ｃｈａｎｎｅｌ)のリソース割当及び送信フォーマット、ＵＬ−ＳＣＨ(ｕｐｌｉｎｋ ｓｈａｒｅｄ ｃｈａｎｎｅｌ)のリソース割当情報、ＰＣＨ上のページング情報、ＤＬ−ＳＣＨ上のシステム情報、ＰＤＳＣＨ上に送信されるランダムアクセス応答のような上位階層制御メッセージに対するリソース割当、任意のＵＥグループ内の個別ＵＥに対する送信パワー制御命令の集合及びＶｏＩＰ(ｖｏｉｃｅ ｏｖｅｒ ｉｎｔｅｒｎｅｔ ｐｒｏｔｏｃｏｌ)の活性化情報などを送信する制御チャネルである。ＰＤＣＣＨデータを送信する複数の単位が制御領域３５０内で定義されることができる。端末は、ＰＤＣＣＨデータを送信する複数の単位をモニタリングして制御データを取得することができる。例えば、ＰＤＣＣＨデータは、一つまたは複数個の連続的なＣＣＥ(ｃｏｎｔｒｏｌ ｃｈａｎｎｅｌ ｅｌｅｍｅｎｔｓ)のアグリゲーション(ａｇｇｒｅｇａｔｉｏｎ)に基づいて端末に送信されることができる。ＣＣＥは、ＰＤＣＣＨデータを送信する一つの単位である。ＣＣＥは、複数のリソース要素グループ(ｒｅｓｏｕｒｃｅ ｅｌｅｍｅｎｔ ｇｒｏｕｐ)を含むことができる。リソース要素グループは、４個の使用可能なリソース要素を含むリソース単位である。
【００３１】
基地局は、端末に送るＤＣＩ(ｄｏｗｎｌｉｎｋ ｃｏｎｔｒｏｌ ｉｎｆｏｒｍａｔｉｏｎ)によってＰＤＣＣＨフォーマットを決定し、制御情報にＣＲＣ(ｃｙｃｌｉｃ ｒｅｄｕｎｄａｎｃｙ ｃｈｅｃｋ)を付ける。ＣＲＣにはＰＤＣＣＨのオーナ(ｏｗｎｅｒ)や用途によって固有な識別子(ＲＮＴＩ；ｒａｄｉｏ ｎｅｔｗｏｒｋ ｔｅｍｐｏｒａｒｙ ｉｄｅｎｔｉｆｉｅｒ)がマスキングされる。特定端末のためのＰＤＣＣＨの場合、端末の固有識別子、例えば、Ｃ−ＲＮＴＩ(ｃｅｌｌ−ＲＮＴＩ)がＣＲＣにマスキングされうる。または、ページングメッセージのためのＰＤＣＣＨの場合、ページング指示識別子、例えば、Ｐ−ＲＮＴＩ(ｐａｇｉｎｇ−ＲＮＴＩ)がＣＲＣにマスキングされうる。システム情報ブロック(ＳＩＢ；ｓｙｓｔｅｍ ｉｎｆｏｒｍａｔｉｏｎ ｂｌｏｃｋ)のためのＰＤＣＣＨの場合、システム情報識別子、ＳＩ−ＲＮＴＩ(ｓｙｓｔｅｍ ｉｎｆｏｒｍａｔｉｏｎ−ＲＮＴＩ)がＣＲＣにマスキングされうる。端末のランダムアクセスプリアンブルの送信に対する応答であるランダムアクセス応答を指示するためにＲＡ−ＲＮＴＩ(ｒａｎｄｏｍ ａｃｃｅｓｓ−ＲＮＴＩ)がＣＲＣにマスキングされうる。
【００３２】
図４は、３ＧＰＰ ＬＴＥでアップリンクサブフレームの構造を示す。
【００３３】
アップリンクサブフレームは、周波数領域でアップリンク制御情報を伝送するＰＵＣＣＨ(Ｐｈｙｓｉｃａｌ Ｕｐｌｉｎｋ Ｃｏｎｔｒｏｌ Ｃｈａｎｎｅｌ)が割り当てられる制御領域(ｒｅｇｉｏｎ)５３０、５４０とユーザデータを伝送するＰＵＳＣＨ(Ｐｈｙｓｉｃａｌ Ｕｐｌｉｎｋ Ｓｈａｒｅｄ Ｃｈａｎｎｅｌ)が割り当てられるデータ領域５５０に分けられる。ＰＵＣＣＨに対するリソースは、ＣＣ(ｃｏｍｐｏｎｅｎｔ ｃａｒｒｉｅｒ)の帯域幅のエッジに割り当てられることができる。
【００３４】
ＰＵＣＣＨは、サブフレームでＲＢ対(ｐａｉｒ)に基づいて割り当てられることができる。ＲＢ対に属するＲＢは、第１のスロットと第２のスロットの各々で互いに異なる副搬送波に割り当てられうる。ｍは、サブフレーム内でＰＵＣＣＨに割り当てられたＲＢ対の論理的な周波数領域位置を示す位置インデックスである。同じｍ値を有するＲＢが第１のスロットと第２のスロットの互いに異なる副搬送波に割り当てられたことを知ることができる。
【００３５】
３ＧＰＰ ＴＳ ３６.２１１ Ｖ８.７.０によると、ＰＵＣＣＨは、多様なフォーマットを有することができる。ＰＵＣＣＨフォーマットで使われる変調方法(ｍｏｄｕｌａｔｉｏｎ ｓｃｈｅｍｅ)によってサブフレームで互いに異なるビット数を有する他のフォーマットのＰＵＣＣＨを使用することができる。
【００３６】
以下の表 １は、ＰＵＣＣＨフォーマットによる変調方式(Ｍｏｄｕｌａｔｉｏｎ Ｓｃｈｅｍｅ)及びサブフレーム当たりビット数の例を示す。
【００３７】
【表１】
2017195644.tif 000003
【００３８】
ＰＵＣＣＨフォーマット１はＳＲ(Ｓｃｈｅｄｕｌｉｎｇ Ｒｅｑｕｅｓｔ)の送信に使われ、ＰＵＣＣＨフォーマット１ａ/１ｂはＨＡＲＱのためのＡＣＫ/ＮＡＣＫ信号の送信に使われ、ＰＵＣＣＨフォーマット２はＣＱＩの送信に使われ、ＰＵＣＣＨフォーマット２ａ/２ｂはＣＱＩ及びＡＣＫ/ＮＡＣＫ信号の同時(ｓｉｍｕｌｔａｎｅｏｕｓ)送信に使われる。サブフレームでＡＣＫ/ＮＡＣＫ信号のみを送信する時、ＰＵＣＣＨフォーマット１ａ/１ｂが使われ、ＳＲが単独に送信される時、ＰＵＣＣＨフォーマット１が使われる。ＳＲとＡＣＫ/ＮＡＣＫを同時に送信する時にはＰＵＣＣＨフォーマット１が使われ、ＳＲに割り当てられたリソースにＡＣＫ/ＮＡＣＫ信号を変調して送信する。
【００３９】
全てのＰＵＣＣＨフォーマットは、各ＯＦＤＭシンボルでシーケンスの循環シフト(ｃｙｃｌｉｃ ｓｈｉｆｔ、ＣＳ)を使用する。循環シフトされたシーケンスは、基本シーケンス(ｂａｓｅ ｓｅｑｕｅｎｃｅ)を特定ＣＳ量(ｃｙｃｌｉｃ ｓｈｉｆｔ ａｍｏｕｎｔ)ほど循環シフトさせて生成される。特定ＣＳ量は、循環シフトインデックス(ＣＳ ｉｎｄｅｘ)により指示される。
【００４０】
シーケンスの長さは、シーケンスに含まれる要素(ｅｌｅｍｅｎｔ)の数と同じである。シーケンスを指示するためのシーケンスインデックスは、セル識別子、無線フレーム内のスロット番号などに基づいて決定されうる。基本シーケンスが周波数領域で一つのリソースブロックにマッピング(ｍａｐｐｉｎｇ)されると仮定する時、一つのリソースブロックが１２個の副搬送波を含むため、基本シーケンスの長さＮは１２になる。基本シーケンスを循環シフトさせることで、循環シフトされたシーケンスを生成することができる。
【００４１】
基本シーケンスの利用可能な(ａｖａｉｌａｂｌｅ)循環シフトインデックスは、ＣＳ間隔(ＣＳ ｉｎｔｅｒｖａｌ)によって基本シーケンスから誘導されうる。例えば、基本シーケンスの長さが１２であり、ＣＳ間隔が１の場合、基本シーケンスの利用可能な循環シフトインデックスの総数は１２になる。または、基本シーケンスの長さが１２であり、ＣＳ間隔が２の場合、基本シーケンスの利用可能な循環シフトインデックスの総数は６個になる。
【００４２】
図５は、ＬＴＥ−Ａシステムの多重搬送波(ｍｕｌｔｉｐｌｅ ｃａｒｒｉｅｒ)を示す概念図である。
【００４３】
３ＧＰＰ ＬＴＥシステムは、ダウンリンク帯域幅の大きさとアップリンク帯域幅の大きさが互いに異なるように設定される場合をサポートするが、これはダウンリンク及びアップリンクの各々に対して一つのコンポーネントキャリア(ｃｏｍｐｏｎｅｎｔ ｃａｒｒｉｅｒ、ＣＣ)を前提とする。具体的には、３ＧＰＰ ＬＴＥシステムは、最大２０ＭＨｚの帯域幅をサポートし、アップリンク帯域幅の大きさとダウンリンク帯域幅の大きさが異なる場合、アップリンクとダウンリンクの各々に対して一つのコンポーネントキャリアのみをサポートする。
【００４４】
しかし、ＬＴＥ−Ａシステムでは、スペクトラムアグリゲーション(ｓｐｅｃｔｒｕｍ ａｇｇｒｅｇａｔｉｏｎ)(または、帯域幅アグリゲーション(ｂａｎｄｗｉｄｔｈ ａｇｇｒｅｇａｔｉｏｎ)、キャリアアグリゲーション(ｃａｒｒｉｅｒ ａｇｇｒｅｇａｔｉｏｎ)という)を介して複数のコンポーネントキャリアをサポートすることができる。例えば、２０ＭＨｚ帯域幅を有する搬送波単位のグラニュラリティ(ｇｒａｎｕｌａｒｉｔｙ)として５個のコンポーネントキャリアが割り当てられる場合、最大１００Ｍｈｚの帯域幅をサポートすることができる。
【００４５】
一つのダウンリンクコンポーネントキャリア(ＤＬ ＣＣ)またはアップリンクコンポーネントキャリア(ＵＬ ＣＣ)とダウンリンクコンポーネントキャリアの対(ｐａｉｒ)が一つのセルに対応されうる。したがって、複数のダウンリンクコンポーネントキャリアを介して基地局と通信する端末は、複数のサービングセルからサービスの提供を受けるということができる。
【００４６】
図５を参照すると、キャリアアグリゲーションを実行したダウンリンクコンポーネントキャリア３個、アップリンクコンポーネントキャリア２個が開示されている。キャリアアグリゲーションを実行するダウンリンクコンポーネントキャリアとアップリンクコンポーネントキャリアの個数には制限があるものではない。各ダウンリンクコンポーネントキャリアでＰＤＣＣＨとＰＤＳＣＨが独立的に送信され、各アップリンクコンポーネントキャリアでＰＵＣＣＨとＰＵＳＣＨが独立的に送信される。ダウンリンクコンポーネントキャリア−アップリンクコンポーネントキャリアの対が２個、ダウンリンク搬送波１個が定義されるため、端末は、３個のサービングセルからサービスの提供を受けるということができる。以下、本発明の実施例ではサービングセルまたはセルという用語を使用してコンポーネントキャリアを表現することもできる。
【００４７】
端末は、複数のサービングセル上に割り当てられたＰＤＣＣＨをモニタリングし、複数のサービングセル上に割り当てられたダウンリンクリソースを介して同時にダウンリンクトランスポートブロックを受信することができる。また、端末は、複数のサービングセル上に割り当てられたアップリンクリソースを介して同時に複数のアップリンクトランスポートブロックを送信することができる。
【００４８】
第１のダウンリンクコンポーネントキャリア(ＤＬ ＣＣ ＃１)と第１のアップリンクコンポーネントキャリア(ＵＬ ＣＣ ＃１)の対が第１のサービングセルになり、第２のダウンリンクコンポーネントキャリア(ＤＬ ＣＣ ＃２)とアップリンクコンポーネントキャリア(ＵＬ ＣＣ ＃２)の対が第２のサービングセルになり、第３のダウンリンクコンポーネントキャリア(ＤＬ ＣＣ ＃３)が第３のサービングセルになりうる。各サービングセルは、セルインデックス(Ｃｅｌｌ ｉｎｄｅｘ、ＣＩ)を介して識別されうる。ＣＩは、セル内で固有または端末−特定的な値を有することができる。ここでは、第１のサービングセル乃至第の３サービングセルの各々にＣＩ＝０、１、２が付与された例を示す。
【００４９】
サービングセルは、１次セルまたはＰ−セル((ｐｒｉｍａｒｙ ｃｅｌｌ)と２次セルまたはＳ−セル(ｓｅｃｏｎｄａｒｙ ｃｅｌｌ)に区分されうる。Ｐ−セルはＰＣＣ(ｐｒｉｍａｒｙ ｃｏｍｐｏｎｅｎｔ ｃａｒｒｉｅｒ)、Ｓ−セルはＳＣＣ(ｓｅｃｏｎｄ ｃｏｍｐｏｎｅｎｔ ｃａｒｒｉｅｒ)という用語で表現されることもできる。Ｐ−セルは、端末の初期連結確立過程、端末の連結再確立過程、端末のハンドオーバ過程で指定されることができる。Ｐ−セルを他の用語で基準セル(ｒｅｆｅｒｅｎｃｅ ｃｅｌｌ)という。Ｓ−セルはＲＲＣ(ｒａｄｉｏ ｒｅｓｏｕｒｃｅ ｃｏｎｔｒｏｌ)接続が確立された後に設定されることができ、追加的な無線リソースの提供に使われうる。常に少なくとも一つのＰ−セルが設定され、Ｓ−セルは上位階層シグナリング(例えば、ＲＲＣメッセージ)により追加/修正/解除されうる。
【００５０】
Ｐ−セルのＣＩは固定された値である。例えば、最も低いＣＩがＰ−セルのＣＩとして指定されうる。例えば、Ｐ−セルのＣＩは０に割り当てられ、Ｓ−セルのＣＩは１から順次に割り当てられることができる。
【００５１】
端末は、複数のサービングセル上に割り当てられたＰＤＣＣＨをモニタリングすることができる。しかし、Ｎ個のサービングセルがあるとしても、基地局にＭ(Ｍ≦Ｎ)個のサービングセル上に割り当てられたＰＤＣＣＨをモニタリングするように設定することができる。また、基地局は、Ｌ(Ｌ≦Ｍ≦Ｎ)個のサービングセル上に割り当てられたＰＤＣＣＨを優先的にモニタリングするように設定することができる。
【００５２】
ＬＴＥ−Ａにおいて、キャリアアグリゲーションを実行するにあたってノンクロスキャリアスケジューリング(ｎｏｎ−ｃｒｏｓｓ ｃａｒｒｉｅｒ ｓｃｈｅｄｕｌｉｎｇ)方法とクロスキャリアスケジューリング(ｃｒｏｓｓ−ｃａｒｒｉｅｒ ｓｃｈｅｄｕｌｉｎｇ)方法を使用することができる。ノンクロススケジューリング方法は、特定サービングセルを介してダウンリンク送信を実行する場合、特定サービングセルを介してのみアップリンク送信を実行することができる。
【００５３】
具体的には、特定サービングセル上に割り当てられたＰＤＣＣＨを介して送信されるダウンリンク割当(ｄｏｗｎｌｉｎｋ ａｌｌｏｃａｔｉｏｎ)及びアップリンク承認(ｕｐｌｉｎｋ ｇｒａｎｔ)は、特定サービングセル(サービングセルは、ダウンリンクコンポーネントキャリアまたはダウンリンクコンポーネントキャリアに対応されるアップリンクコンポーネントキャリアで構成される)上に割り当てられるＰＤＳＣＨ/ＰＵＳＣＨのスケジューリングのために使われうる。即ち、ダウンリンク割当及びアップリンク承認に対する検出を試みる領域である探索領域(ｓｅａｒｃｈ ｓｐａｃｅ)は、スケジューリングされる対象であるＰＤＳＣＨ/ＰＵＳＣＨが割り当てられたサービングセルのＰＤＣＣＨに含まれうる。
【００５４】
クロスキャリアスケジューリングの場合、モニタリングされるセル(ｍｏｎｉｔｏｒｅｄ ｃｅｌｌ)が設定されることができる。モニタリングされるセル上のＰＤＣＣＨで送信されるダウンリンク割当及びアップリンク承認は、モニタリングされるセルでスケジューリングされるように設定されたセルに対するダウンリンク割当及びアップリンク承認である。即ち、クロスキャリアスケジューリングの場合、モニタリングされるセル上のＰＤＣＣＨは、複数のサービングセルに対するリソーススケジューリング情報を送信することができる。
【００５５】
既存３ＧＰＰ ＬＴＥでは端末が複数のサービングセルをサポートしても、一つのＴＡ(Ｔｉｍｉｎｇ Ａｄｖａｎｃｅ)値を複数のサービングセルに共通に適用している。しかし、複数のサービングセルが周波数領域で大きく離隔された場合、サービングセル別に伝播(ｐｒｏｐａｇａｔｉｏｎ)特性が変わりうる。また、カバレッジを拡大し、またはカバレッジホール(Ｃｏｖｅｒａｇｅ ｈｏｌｅ)を除去するために、ＲＲＨ(Ｒｅｍｏｔｅ Ｒａｄｉｏ Ｈｅａｄｅｒ)と装置が基地局の領域に存在できる。このような場合、基地局と端末との間の距離とＲＲＨと端末との間の距離が変わって伝播特性が変わりうる。
【００５６】
以下、３ＧＰＰ ＬＴＥでのアップリンク時間整列(ｕｐｌｉｎｋ ｔｉｍｅ ａｌｉｇｎｍｅｎｔ)に対して説明する。
【００５７】
複数の端末のアップリンク送信による干渉を減らすためには、基地局が端末のアップリンク時間同期を維持することは重要である。端末は、セル内の任意の領域に位置することができ、端末が送信するアップリンク信号が基地局に到達するまでの時間は、各端末の位置によって異なる。セルエッジ(ｃｅｌｌ ｅｄｇｅ)に位置する端末の到達時間は、セル中央に位置する端末の到達時間より長い。それに対し、セル中央に位置する端末の到達時間は、セルエッジに位置する端末の到達時間より短い。
【００５８】
複数の端末のアップリンク送信による干渉を減らすために、基地局は、セル内の複数の端末が送信したアップリンク信号が毎時間バウンダリ(ｂｏｕｎｄａｒｙ)内で受信されることができるようにスケジューリングすることが必要である。基地局は、複数の端末の各々の送信タイミングを適切に調節することで、複数の端末のアップリンク送信時に干渉を減らすことができる。基地局が実行する端末の送信タイミング調節をアップリンク時間整列という用語で表現することができる。
【００５９】
アップリンク時間整列の一つの方法として、端末は、ランダムアクセスを実行することができる。端末は、基地局にランダムアクセスプリアンブルを送信する。基地局は、受信したランダムアクセスプリアンブルに基づいて端末の送信タイミングを速くまたは遅くするための時間整列値(ｔｉｍｅ ａｌｉｇｎｍｅｎｔ ｖａｌｕｅ)を決定する。基地局は、決定された時間整列値を含むランダムアクセス応答を端末に送信する。端末は、ランダムアクセス応答に含まれている時間整列値に基づいてアップリンク送信タイミングを更新することができる。
【００６０】
他の方法として、基地局は、端末から周期的または任意にサウンディング基準信号(Ｓｏｕｎｄｉｎｇ Ｒｅｆｅｒｅｎｃｅ Ｓｉｇｎａｌ)を受信し、サウンディング基準信号を介して端末の時間同期値を決定し、決定された時間同期値をＭＡＣ(ｍｅｄｉｕｍ ａｃｃｅｓｓ ｃｏｎｔｒｏｌ)ＣＥ(ｃｏｎｔｒｏｌ ｅｌｅｍｅｎｔ)を介して端末に知らせることができる。
【００６１】
時間整列値は、端末のアップリンク時間同期を維持するために基地局から送信された情報ということができ、基地局が送信する時間整列命令(Ｔｉｍｉｎｇ ａｄｖａｎｃｅ ｃｏｍｍａｎｄ、ＴＡＣ)は、時間整列値を含むことができる。
【００６２】
一般的に、端末は、移動性を有するため、端末が移動する速度と位置などによって端末の送信タイミングを変えることができる。したがって、端末が受信した時間整列値は、特定期間有効な値である。時間整列値が有効な期間は、時間整列タイマ(Ｔｉｍｅ Ａｌｉｇｎｍｅｎｔ Ｔｉｍｅｒ)に基づいて決定されうる。
【００６３】
端末は、基地局から時間同期値を受信した後、時間同期を更新すると、時間同期タイマを開始または再開始する。時間同期タイマが動作中である時のみ、端末は、アップリンク送信が可能である。時間同期タイマの値は、システム情報または無線ベアラ再構成(Ｒａｄｉｏ Ｂｅａｒｅｒ Ｒｅｃｏｎｆｉｇｕｒａｔｉｏｎ)メッセージのようなＲＲＣメッセージを介して基地局が端末に送信できる。
【００６４】
時間同期タイマが満了され、または時間同期タイマが動作しない場合、端末は、基地局と時間同期が合わないと仮定し、ランダムアクセスプリアンブルを除外したどのようなアップリンク信号も送信しない。
【００６５】
図６は、３ＧＰＰ ＬＴＥでランダムアクセス過程を示す流れ図である。
【００６６】
前述したように、ランダムアクセス過程は、端末が基地局とアップリンク同期を得るために使われ、または端末が基地局からアップリンク無線リソースの割当を受けるために使われうる。
【００６７】
端末は、ルートインデックス(ｒｏｏｔ ｉｎｄｅｘ)とＰＲＡＣＨ(ｐｈｙｓｉｃａｌ ｒａｎｄｏｍ ａｃｃｅｓｓ ｃｈａｎｎｅｌ)設定インデックス(ｃｏｎｆｉｇｕｒａｔｉｏｎ ｉｎｄｅｘ)を基地局から受信する。各セル毎にＺＣ(Ｚａｄｏｆｆ−Ｃｈｕ)シーケンスにより定義される６４個の候補(ｃａｎｄｉｄａｔｅ)ランダムアクセスプリアンブルがあり、ルートインデックスは、端末が６４個の候補ランダムアクセスプリアンブルを生成するための論理的インデックスである。
【００６８】
ランダムアクセスプリアンブルの送信は、各セル毎に特定時間リソース及び周波数リソースに限定される。ＰＲＡＣＨ設定インデックスは、ランダムアクセスプリアンブルの送信が可能な特定サブフレームとプリアンブルフォーマットを指示する。
【００６９】
端末は、任意に選択されたランダムアクセスプリアンブルを基地局に送信する(ステップＳ６１０)。
【００７０】
端末は、６４個の候補ランダムアクセスプリアンブルの中から一つを選択する。そして、ＰＲＡＣＨ設定インデックスにより該当するサブフレームを選択する。端末は、選択されたランダムアクセスプリアンブルを選択されたサブフレームで送信する。
【００７１】
前記ランダムアクセスプリアンブルを受信した基地局は、ランダムアクセス応答(ｒａｎｄｏｍ ａｃｃｅｓｓ ｒｅｓｐｏｎｓｅ、ＲＡＲ)を端末に送信する(ステップＳ６２０)。
【００７２】
ランダムアクセス応答は、２ステップにより検出される。まず、端末は、ＲＡ−ＲＮＴＩ(ｒａｎｄｏｍ ａｃｃｅｓｓ−ＲＮＴＩ)でマスキングされたＰＤＣＣＨを検出する。端末は、検出されたＰＤＣＣＨにより指示されるＰＤＳＣＨ上にＭＡＣ(Ｍｅｄｉｕｍ Ａｃｃｅｓｓ Ｃｏｎｔｒｏｌ)ＰＤＵ(Ｐｒｏｔｏｃｏｌ Ｄａｔａ Ｕｎｉｔ)内のランダムアクセス応答を受信する。
【００７３】
図７は、ランダムアクセス応答の一例を示す。
【００７４】
ランダムアクセス応答は、ＴＡＣ(ｔｉｍｉｎｇ ａｄｖａｎｃｅ ｃｏｍｍａｎｄ)、アップリンクグラント(ＵＬ ｇｒａｎｔ)、臨時Ｃ−ＲＮＴＩ(ｔｅｍｐｏｒａｒｙ ｃｅｌｌ−ｒａｄｉｏ ｎｅｔｗｏｒｋ ｔｅｍｐｏｒａｒｙ ｉｄｅｎｔｉｆｉｅｒ)を含むことができる。
【００７５】
ＴＡＣは、基地局が端末のアップリンク時間整列(ｔｉｍｅ ａｌｉｇｎｍｅｎｔ)のために送信する時間整列値を含むことができる。端末は、時間整列値を利用してアップリンク送信タイミングを更新する。端末が受信したＴＡＣに基づいて時間整列を実行する場合、時間整列タイマ(Ｔｉｍｅ Ａｌｉｇｎｍｅｎｔ Ｔｉｍｅｒ)を開始または再開始する。即ち、ＴＡＣは、端末のタイミング調整(ｔｉｍｉｎｇ ａｄｊｕｓｔｍｅｎｔ)のための情報が含まれうる。
【００７６】
アップリンクグラント(ＵＬ ｇｒａｎｔ)は、アップリンクリソース割当情報及びＴＰＣ(ｔｒａｎｓｍｉｔ ｐｏｗｅｒ ｃｏｍｍａｎｄ)を含むことができる。ＴＰＣは、スケジューリングされたＰＵＳＣＨのための送信パワーの決定に使われる。
【００７７】
また、図６を参照すると、端末は、ランダムアクセス応答内のアップリンクグラントによってスケジューリングされたメッセージを基地局に送信する(Ｓ６３０)。
【００７８】
図８は、複数のセル間に伝播特性の差異を示す概念図である。
【００７９】
既存のＬＴＥリリース(ｒｅｌｅａｓｅ)８/９/１０システムでは複数のサービングセルをアグリゲーションした場合、端末は、一つのセル(例えば、Ｐ−セルまたはＰＣＣ)に適用可能なＴＡ値を複数のサービングセルに共通に適用してアップリンク送信を実行した。
【００８０】
キャリアアグリゲーション(ｃａｒｒｉｅｒ ａｇｇｒｅｇａｔｉｏｎ)に基づいて端末と基地局との間のデータ送信及び受信が実行される場合、周波数上で大きく離隔された互いに異なる伝播(ｐｒｏｐａｇａｔｉｏｎ)特性を有する複数のサービングセルがアグリゲーションされうる。また、複数のサービングセルのうち、特定サービングセルは、カバレッジ(ｃｏｖｅｒａｇｅ)拡大をし、またはカバレッジホール(ｃｏｖｅｒａｇｅ ｈｏｌｅ)を除去するためにリピータのようなＲＲＨ(Ｒｅｍｏｔｅ Ｒａｄｉｏ Ｈｅａｄｅｒ)で使われて複数のサービングセルに含まれているサービングセル間の伝播特性が異なる。
【００８１】
複数のサービングセルの伝播特性が異なる場合、従来のように一つのＴＡ値を複数のサービングセルに共通に適用して端末がアップリンク送信を実行すると、特定サービングセルに対するアップリンク送信タイミング同期が合わなくて端末と基地局との間に時間同期がずれることができる。
【００８２】
例えば、図８では、端末がマクロ基地局８００は第１のサービングセルを介してダウンリンク送信を実行し、ＲＲＨ８２０は第２のサービングセルを介してダウンリンク送信を実行する場合を仮定する。具体的には、マクロ基地局８００は、第１のサービングセルを介して端末にダウンリンクデータを送信し、カバレッジ制限(ｌｉｍｉｔｅｄ ｃｏｖｅｒａｇｅ)などの理由で設置されたＲＲＨ８２０は、第２のサービングセルを介して端末にダウンリンクデータを送信することができる。
【００８３】
第１のサービングセルを介して送信されるダウンリンクデータの伝播遅延(ｐｒｏｐａｇａｔｉｏｎ ｄｅｌａｙ)は、多様な理由(例えば、ＲＲＨ８２０とマクロ基地局８００のプロセシング時間差、ＲＲＨ８２０と端末との間の距離及びマクロ基地局８００と端末との間の距離間の差)により第２のサービングセルを介して送信されるダウンリンクデータの伝播遅延と互いに異なる値を有することができる。
【００８４】
キャリアアグリゲーションされた複数のサービングセルの各々の伝播遅延が互いに異なる場合、端末は、伝播遅延が互いに異なる複数のサービングセルを介したアップリンク送信を実行する時、複数のサービングセルの各々に対して互いに異なるＴＡ値に基づくアップリンク送信を実行することができる。即ち、複数のサービングセルを介して送信されるダウンリンクデータが互いに異なる伝播遅延特性を有するようになる場合、端末は、複数のＴＡ値に基づくアップリンク送信を実行することができる。
【００８５】
図９は、複数のＴＡ値に基づく端末のアップリンク送信を示す概念図である。
【００８６】
図９を参照すると、二つのサービングセルを介したアップリンク送信を示す。第２のサービングセル(例えば、Ｓ−セル)９２０に対する伝播遅延が第１のサービングセル(例えば、Ｐ−セル)９１０に対する伝播遅延より大きい。
【００８７】
このような場合、端末が第２のサービングセル９２０を介した第２のアップリンクデータ(例えば、第２のＰＵＳＣＨデータ)の送信に適用される第２のＴＡ値が第１のサービングセル９１０を介した第１のアップリンクデータ(例えば、第１のＰＵＳＣＨデータ)の送信に適用される第１のＴＡ値より大きい値を有することができる。キャリアアグリゲーションに基づいてデータの送信及び受信を実行する場合、搬送波の各々に対するＴＡ値が適用されうる。複数のサービングセルの各々に対するＴＡ値は、互いに異なる値を有することができる。複数のサービングセルの各々に対するＴＡに対する情報は、各々のサービングセルに対応される基地局から端末に送信されうる。
【００８８】
第１のＴＡ値と第２のＴＡ値との差により端末が第１のサービングセル９１０を介して送信される第１のアップリンクデータの第１の送信時点と第２のサービングセルを介して送信される第２のアップリンクデータの第２の送信時点との差が一定範囲以上である場合、多様な問題が発生しうる。第１のＴＡ値と第２のＴＡ値との差が一定範囲以上である場合、例えば、基地局と端末との間の送信タイミング関係が一定でなくて基地局と端末で誤動作が発生しうる。また、端末の受信したダウンリンクデータをプロセシングし、ダウンリンクデータに対する応答としてアップリンクデータを基地局に送信するにあたって、複雑度が高まり、端末のアップリンク送信のためのプロセシング時間が足りなくなるおそれもある。
【００８９】
以下、本発明の実施例では端末が複数のサービングセルの各々(例えば、第１のサービングセル９１０、第２のサービングセル９２０）に対応するＴＡ値を受信する時、第１のサービングセル９１０に対する第１のＴＡ値と第２のサービングセル９２０に対する第２のＴＡ値との差が閾値以上である場合、端末のアップリンク送信方法に対して説明する。閾値は、上位信号を介して端末に設定され、または端末が予め知っている。本発明の実施例に係る端末は、アップリンク送信を実行する時、複数のサービングセルの各々に対するＴＡ値の差が閾値以上である場合、端末のアップリンクデータ送信をドロップ(ｄｒｏｐ)し、または端末のアップリンク送信タイミングを制限することができる。以下、本発明の実施例において、ＴＡ値の差が閾値以上である場合、端末の具体的な動作を説明する。
【００９０】
以下、本発明の実施例で説明する複数のサービングセルの各々に対するＴＡ値の差は、多様に解釈されうる。ＴＡ値は、端末のダウンリンク受信時点を基準にアップリンク送信が時間ドメイン上でどれくらい先行されるかを表現する値である。端末が複数のサービングセルの各々から受信するダウンリンクデータの各々の受信時点またはダウンリンクサブフレームの各々のバウンダリは同じでない。したがって、各々のサービングセルに対するＴＡ値を算出するための基準時点がサービングセル別に変わりうる。各々のサービングセルに対するＴＡ値の差をダウンリンクデータ受信時点を考慮せずに単純に計算する場合、ＴＡ値の差は、端末が搬送波要素の各々を介して受信したダウンリンクデータの受信時点の差まで反映した値である。
【００９１】
本発明の実施例で説明される複数のサービングセルに対するＴＡ値の差は、ダウンリンクデータの受信時点の差まで反映したＴＡ値の差だけでなく、端末が複数のサービングセルの各々を介してアップリンクサブフレームを送信するにあたって、複数のサービングセルの各々を介して送信されるアップリンクデータ間の送信タイミングの差のみを考慮した値である。このとき、特定セルに対するＴＡ値とは、単純に該当セルでの端末の送信タイミングを意味する。本発明の実施例で説明されるＴＡの差は、端末が基地局から受信した複数のサービングセルの各々に対するＴＡ値の差、端末が送信時に適用する送信時点(ｔｒａｎｓｍｉｓｓｉｏｎ ｔｉｍｉｎｇ)の差として解釈され、または端末が受信したＴＡＣに基づいて算出されたＴＡ値の差として解釈される。ＰＲＡＣＨのようにＴＡＣ値を介して管理されるＴＡ適用が例外される信号送信時には後述する前記ＴＡ値の差の制限方式の適用を受けない。以下、本発明の実施例では、説明の便宜上、複数のサービングセルでＴＡ値の差を算出するために基準となるダウンリンクデータ受信時点が同じ場合を仮定してＴＡ値の差を説明する。タイミング差は、第１のサービングセルを介して送信された第１のダウンリンクサブフレームのサブフレームバウンダリタイミング及び第２のサービングセルを介して送信された第２のダウンリンクサブフレームのサブフレームバウンダリタイミングをさらに考慮して決定される。
【００９２】
図１０は、本発明の実施例に係るアップリンク送信方法を示す概念図である。
【００９３】
図１０では複数のサービングセルの各々に対するＴＡ値の差が閾値以上である場合、アップリンク信号をドロップする方法に対して説明する。
【００９４】
複数のサービングセルの各々に対するＴＡ値の差が閾値以上かどうかは、特定サービングセルのＴＡ値(基準ＴＡ値)を基準に決定されうる。本発明の実施例によると、基準ＴＡ値と、特定サービングセルとキャリアアグリゲーションされた他のサービングセルのＴＡ値との差が閾値以上かどうかを判断することができる。もし、基準ＴＡ値と他のサービングセルのＴＡ値との差が閾値以上である場合、他のサービングセルを介して送信されるアップリンク送信はドロップされうる。基準ＴＡ値を決定するためのサービングセルは、予め決定されたサービングセル(例えば、ＰＣＣ)である。または、基準ＴＡ値を決定するためのサービングセルは、ＲＲＣシグナリングのような上位階層信号を介して設定されうる。
【００９５】
図１０を参照すると、第１のサービングセル１０１０に対する第１のＴＡ値が基準ＴＡ値に設定され、基準ＴＡ値と第２のサービングセル１０２０に対する第２のＴＡ値との差が閾値以上である。このような場合、第２のサービングセルを介して送信されるアップリンクデータ(例えば、第２のＰＵＳＣＨデータ)はドロップされうる。
【００９６】
サービングセルでアップリンク送信をドロップするという意味は、端末がサービングセルで予め送信するように設定されたアップリンクデータ(例えば、周期的ＣＱＩ(ｐｅｒｉｏｄｉｃ ｃｈａｎｎｅｌ ｑｕａｌｉｔｙ ｉｎｄｉｃａｔｏｒ))を送信しない、または端末がサービングセルに対するアップリンクスケジューリング命令を期待しないまたは無視する動作である。
【００９７】
図１１は、本発明の実施例に係るアップリンク送信方法を示す概念図である。
【００９８】
図１１では複数のサービングセルが互いに異なるＴＡグループに分類され、ＴＡグループ間のＴＡ値の差が閾値以上である場合、特定ＴＡグループのアップリンク信号をドロップ(ｄｒｏｐ)する方法に対して説明する。
【００９９】
図１１を参照すると、第１のサービングセル１１１０と第２のサービングセル１１２０が第１のＴＡグループ１１００であり、第３のサービングセル１１６０と第４のサービングセル１１７０が第２のＴＡグループ１１５０に分類されうる。同じＴＡグループは、同じＴＡＣに基づいてＴＡを決定したグループである。第１のＴＡグループ１１００に対するＴＡは、第１のＴＡ値に設定され、第２のＴＡグループ１１５０に対するＴＡは、第２のＴＡ値に設定されうる。
【０１００】
複数のＴＡグループの各々に対するＴＡ値の差が閾値以上かどうかは、特定ＴＡグループのＴＡ値(基準ＴＡ値)を基準に決定されうる。本発明の実施例によると、基準ＴＡ値と、特定ＴＡグループとキャリアアグリゲーションされた他のＴＡグループのＴＡ値との差が閾値以上かどうかを判断することができる。もし、基準ＴＡ値と他のＴＡグループのＴＡ値との差が閾値以上である場合、他のＴＡグループを介して送信されるアップリンク送信はドロップされうる。基準ＴＡ値を決定するためのＴＡグループは、予め決定されたサービングセル(例えば、ＰＣＣ)を含むＴＡグループである。または、基準ＴＡ値を決定するためのＴＡグループは、ＲＲＣシグナリングのような上位階層信号を介して設定されうる。
【０１０１】
図１１を参照すると、第１のＴＡグループ１１００に対する第１のＴＡ値が基準ＴＡ値に設定され、基準ＴＡ値と第２のＴＡグループ１１５０に対する第２のＴＡ値との差が閾値以上かどうかに対して判断することができる。基準ＴＡ値である第１のＴＡ値と第２のＴＡ値との差が閾値以上である場合、第２のＴＡグループ１１５０に含まれるサービングセルである第３のサービングセル１１６０及び第４のサービングセル１１７０を介して送信されるアップリンクデータ(例えば、第３のＰＵＳＣＨデータ、第４のＰＵＳＣＨデータ)はドロップされうる。
【０１０２】
図１２は、本発明の実施例に係るアップリンク送信方法を示す概念図である。
【０１０３】
図１２では複数の搬送波要素の各々に対するＴＡ値の差が閾値以上である場合、ＴＡ値の差が閾値以下になるように調整してアップリンク送信を実行することができる。
【０１０４】
図１２を参照すると、第１のサービングセル１２１０に対する第１のＴＡ値と第２のサービングセル１２２０に対する第２のＴＡ値との差が閾値以上である。
【０１０５】
同様に、複数のサービングセルの各々に対するＴＡ値の差が閾値以上かどうかは、特定サービングセルに対するＴＡ値(基準ＴＡ値)を基準に決定されうる。本発明の実施例によると、基準ＴＡ値と、特定サービングセルとキャリアアグリゲーションされた他のサービングセルのＴＡ値との差が閾値以上かどうかを判断することができる。もし、基準ＴＡ値と他のサービングセルのＴＡ値との差が閾値以上である場合、端末は、他のサービングセルに対するＴＡ値を調整することで、調整された(ａｄｊｕｓｔｅｄ)ＴＡ値に基づいて他のサービングセルを介してアップリンク送信を実行することができる。調整されたＴＡ値は、基準ＴＡ値と調整された第２のＴＡ値との差が閾値以下になるように決定されうる。
【０１０６】
基準ＴＡ値を決定するためのサービングセルは、予め決定されたサービングセル(例えば、ＰＣＣ)である。または、基準ＴＡ値を決定するためのサービングセルは、ＲＲＣシグナリングのような上位階層信号を介して設定されうる。
【０１０７】
図１２を参照すると、第１のサービングセル１２１０に対する第１のＴＡ値が基準ＴＡ値に設定され、基準ＴＡ値と第２のサービングセル１２２０に対する第２のＴＡ値との差が閾値以上である。このような場合、第２のサービングセル１２２０に対する第２のＴＡ値を調整された第２のＴＡ値に調整することができる。調整された第２のＴＡ値は、基準ＴＡ値と変更された第２のＴＡ値との差が閾値以下になるようにすることができる。
【０１０８】
図１３は、本発明の実施例に係るアップリンク送信方法を示す概念図である。
【０１０９】
図１３では複数のサービングセルが互いに異なるＴＡグループに分類され、ＴＡグループ間のＴＡ値の差が閾値以上である場合、ＴＡ値の差が閾値以下になるように特定ＴＡのＴＡ値を調整してアップリンク送信を実行する方法に対して説明する。
【０１１０】
図１３を参照すると、第１のサービングセル１３１０と第２のサービングセル１３２０が第１のＴＡグループ１３００であり、第３のサービングセル１３６０と第４のサービングセル１３７０が第２のＴＡグループ１３５０に分類されうる。同じＴＡグループは、同じＴＡＣに基づいてＴＡを決定したグループである。第１のＴＡグループ１３００に対するＴＡは、第１のＴＡ値が設定され、第２のＴＡグループ１３５０に対するＴＡは、第２のＴＡ値が設定されうる。
【０１１１】
複数のＴＡグループの各々に対するＴＡ値の差が閾値以上かどうかは、特定ＴＡグループのＴＡ値(基準ＴＡ値)を基準に決定されうる。本発明の実施例によると、基準ＴＡ値と、特定ＴＡグループとキャリアアグリゲーションされた他のＴＡグループのＴＡ値との差が閾値以上かどうかを判断することができる。もし、基準ＴＡ値と他のＴＡグループのＴＡ値との差が閾値以上である場合、他のＴＡグループに対するＴＡ値を調整することで、調整されたＴＡ値に基づいて他のＴＡグループに該当するサービングセルを介してアップリンク送信を実行することができる。調整されたＴＡ値は、基準ＴＡ値と調整された第２のＴＡ値との差が閾値以下になるように決定されうる。
【０１１２】
基準ＴＡ値を決定するためのＴＡグループは、予め決定されたサービングセル(例えば、ＰＣＣ)を含むＴＡグループである。または、基準ＴＡ値を決定するためのＴＡグループは、ＲＲＣシグナリングのような上位階層信号を介して設定されうる。
【０１１３】
図１３を参照すると、第１のＴＡグループ１３００に対する第１のＴＡ値が基準ＴＡ値に設定され、基準ＴＡ値と第２のＴＡグループ１３５０に対する第２のＴＡ値との差が閾値以上かどうかに対して判断することができる。基準ＴＡ値である第１のＴＡ値と第２のＴＡ値との差が閾値以上である場合、第２のＴＡグループ１３５０に含まれるサービングセルである第３のサービングセル１３６０及び第４のサービングセル１３７０に対する第２のＴＡ値を調整された第２のＴＡ値に調整することができる。端末は、調整された第２のＴＡ値に基づいて第３のサービングセル１３６０及び第４のサービングセル１３７０を介してアップリンクデータ(例えば、第３のＰＵＳＣＨデータ、第４のＰＵＳＣＨデータ)を送信することができる。
【０１１４】
図１４は、本発明の実施例に係るアップリンク送信方法を示す概念図である。
【０１１５】
図１４では複数の搬送波要素の各々に対するＴＡ値の差が閾値以上である場合、基地局から送信されるＴＡＣが無視されうる。
【０１１６】
同様に、複数のサービングセルの各々に対するＴＡ値の差が閾値以上かどうかは、特定サービングセルのＴＡ値(基準ＴＡ値)を基準に決定されうる。本発明の実施例によると、基準ＴＡ値と、特定サービングセルとキャリアアグリゲーションされた他のサービングセルのＴＡ値との差が閾値以上かどうかを判断することができる。もし、基準ＴＡ値と他のサービングセルのＴＡ値との差が閾値以上である場合、端末は、基地局から受信したＴＡＣを無視することができる。端末は、受信したＴＡＣに基づいて他のサービングセルに対するＴＡ値を決定せず、任意のＴＡ値に基づいてアップリンク送信を実行することができる。任意のＴＡ値を端末により決定されたＴＡ値(ＴＡ ｖａｌｕｅ ｄｅｔｅｒｍｉｎｅｄ ｂｙ ＵＥ)という用語で表現できる。
【０１１７】
基準ＴＡ値を決定するためのサービングセルは、予め決定されたサービングセル(例えば、ＰＣＣ)である。または、基準ＴＡ値を決定するためのサービングセルは、ＲＲＣシグナリングのような上位階層信号を介して設定されうる。
【０１１８】
図１４を参照すると、第１のサービングセル１４１０に対する第１のＴＡ値が基準ＴＡ値に設定され、基地局から受信した第１のサービングセル１４１０に対する第１のＴＡ値と、第２のサービングセル１４２０に対する第２のＴＡ値との差が閾値以上である。このような場合、端末は、第２のＴＡ値に対する情報を含むＴＡＣを無視することができる。端末は、受信した第２のＴＡ値を考慮せずに端末により決定されたＴＡ値を使用して第２のサービングセル１４２０を介してアップリンク送信を実行することができる。端末により決定されたＴＡ値は、以前のアップリンク送信で端末により使われたＴＡ値であり、または図１２及び図１３のように第１のＴＡ値と閾値範囲内の差を有するように調整された値である。
【０１１９】
図１５は、本発明の実施例に係るアップリンク送信方法を示す概念図である。
【０１２０】
図１５では複数のサービングセルが互いに異なるＴＡグループに分類され、ＴＡグループ間のＴＡ値の差が閾値以上である場合、ＴＡ値の差が閾値以下になるように特定ＴＡのＴＡ値を調整してアップリンク送信を実行する方法に対して説明する。
【０１２１】
図１５を参照すると、第１のサービングセル１５１０と第２のサービングセル１５２０が第１のＴＡグループ１５００であり、第３のサービングセル１５６０と第４のサービングセル１５７０が第２のＴＡグループ１５５０に分類されうる。同じＴＡグループは、同じＴＡＣに基づいてＴＡを決定したグループである。第１のＴＡグループ１５００に対するＴＡは第１のＴＡ値であり、第２のＴＡグループ１５５０に対するＴＡは第２のＴＡ値である。
【０１２２】
複数のＴＡグループの各々に対するＴＡ値の差が閾値以上かどうかは、特定ＴＡグループのＴＡ値(基準ＴＡ値)を基準に決定されうる。本発明の実施例によると、基準ＴＡ値と、特定ＴＡグループとキャリアアグリゲーションされた他のＴＡグループのＴＡ値との差が閾値以上かどうかを判断することができる。もし、基準ＴＡ値と他のＴＡグループのＴＡ値との差が閾値以上である場合、他のＴＡグループに対するＴＡ値情報を含むＴＡＣを無視することができる。端末は、端末により決定されたＴＡ値に基づいてアップリンク送信を実行することができる。
【０１２３】
基準ＴＡ値を決定するためのＴＡグループは、予め決定されたサービングセル(例えば、ＰＣＣ)を含むＴＡグループである。または、基準ＴＡ値を決定するためのＴＡグループは、ＲＲＣシグナリングのような上位階層信号を介して設定されうる。
【０１２４】
図１５を参照すると、第１のＴＡグループ１５００に対する第１のＴＡ値が基準ＴＡ値に設定され、基準ＴＡ値と第２のＴＡグループ１５５０に対する第２のＴＡ値との差が閾値以上かどうかに対して判断することができる。基準ＴＡ値である第１のＴＡ値と第２のＴＡ値との差が閾値以上である場合、端末は、第２のＴＡ値に対する情報を含むＴＡＣを無視することができる。端末は、受信した第２のＴＡ値を考慮せずに端末により決定されたＴＡ値を使用して第２のＴＡグループ１５５０に該当するサービングセル(第３のサービングセル１５６０、第４のサービングセル１５７０)を介してアップリンク送信を実行することができる。端末により決定されたＴＡ値は、以前のアップリンク送信で端末により使われたＴＡ値であり、または図１２及び図１３のように第１のＴＡ値と閾値範囲内の差を有するように調整された値である。
【０１２５】
図１６は、本発明の実施例に係る無線通信システムを示すブロック図である。
【０１２６】
図１６を参照すると、基地局１６００は、プロセッサ(ｐｒｏｃｅｓｓｏｒ)１６１０、メモリ(ｍｅｍｏｒｙ)１６２０及びＲＦ部(ＲＦ(ｒａｄｉｏ ｆｒｅｑｕｅｎｃｙ) ｕｎｉｔ)１６３０を含む。メモリ１６２０は、プロセッサ１６１０と連結され、プロセッサ１６１０を駆動するための多様な情報を格納する。ＲＦ部１６３０は、プロセッサ１６１０と連結され、無線信号を送信及び/または受信する。プロセッサ１６１０は、提案された機能、過程及び/または方法を具現する。前述した図８乃至図１５の実施例において、基地局の動作は、プロセッサ１６１０により具現されうる。
【０１２７】
例えば、プロセッサ１６１０は、アップリンクサブフレームのタイミングを決定するためのＴＡＣを端末に送信するように具現されうる。
【０１２８】
無線機器１６５０は、プロセッサ１６６０、メモリ１６７０及びＲＦ部１６８０を含む。メモリ１６７０は、プロセッサ１６６０と連結され、プロセッサ１６６０を駆動するための多様な情報を格納する。ＲＦ部１６８０は、プロセッサ１６６０と連結され、無線信号を送信及び/または受信する。プロセッサ１６６０は、提案された機能、過程及び/または方法を具現する。前述した図８乃至図１５の実施例において、無線機器の動作は、プロセッサ１６６０により具現されることができる。
【０１２９】
例えば、プロセッサ１６６０は、第１のサービングセルに対する第１のＴＡＣ(ｔｉｍｉｎｇ ａｄｖａｎｃｅ ｃｏｍｍａｎｄ)及び第２のサービングセルに対する第２のＴＡＣを受信し、タイミング差が閾値以下かどうかに基づいて端末が第２のサービングセルを介してアップリンクデータを送信するかどうかを決定するように具現されるうこ。ここで、タイミング差は、第１のＴＡＣと第２のＴＡＣに基づいて取得され、第１のサービングセルは、タイミング差に関係なく常にアップリンク送信が可能となるように設定されうる。
【０１３０】
プロセッサは、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリは、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部は、無線信号を処理するためのベースバンド回路を含むことができる。実施例がソフトウェアで具現される時、前述した技法は、前述した機能を遂行するモジュール(過程、機能など)で具現されることができる。モジュールは、メモリに格納され、プロセッサにより実行されうる。メモリは、プロセッサの内部または外部にあり、よく知られた多様な手段によりプロセッサと連結されうる。
【０１３１】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
2017195644.tif 000004
【図２】
2017195644.tif 000005
【図３】
2017195644.tif 000006
【図４】
2017195644.tif 000007
【図５】
2017195644.tif 000008
【図６】
2017195644.tif 000009
【図７】
2017195644.tif 000010
【図８】
2017195644.tif 000011
【図９】
2017195644.tif 000012
【図１０】
2017195644.tif 000013
【図１１】
2017195644.tif 000014
【図１２】
2017195644.tif 000015
【図１３】
2017195644.tif 000016
【図１４】
2017195644.tif 000017
【図１５】
2017195644.tif 000018
【図１６】
2017195644.tif 000019
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
複数のサービングセルを用いた端末のアップリンク送信方法であって、
Ｐ（プライマリ）セルに対するプライマリタイミングアドバンスコマンド（ＴＡＣ)及びＳ（セコンダリ）セルに対するセコンダリタイミングアドバンスコマンド（ＴＡＣ）を受信するステップと、
前記Ｐセルと前記Ｓセルのタイミング差に基づいて前記Ｓセルに関するアップリンクデータを送信するかどうかを決定するステップであって、前記Ｐセルと前記Ｓセルのタイミング差は前記プライマリＴＡＣと前記セコンダリＴＡＣに基づいて決定される、ステップと、
前記決定に基づいて前記アップリンク送信を実行するステップとを含み、
前記Ｐセルと前記Ｓセルのタイミング差が閾値を超える場合、前記端末は前記Ｓセルに関する前記アップリンク送信を実行しない、端末のアップリンク送信方法。
【請求項２】
前記Ｐセルと前記Ｓセルのタイミング差が前記閾値を超えない場合、前記端末は前記Ｓセルに関する前記アップリンク送信を実行する、請求項１に記載の端末のアップリンク送信方法。
【請求項３】
前記タイミング差に拘らず、前記端末は前記Ｐセルに関する前記アップリンク送信を常に実行する、請求項１に記載の端末のアップリンク送信方法。
【請求項４】
前記プライマリＴＡＣは、プライマリタイミングアドバンスグループのための情報であり、前記セコンダリＴＡＣは、セコンダリタイミングアドバンスグループのための情報である、請求項１に記載の端末のアップリンク送信方法。
【請求項５】
前記タイミング差は、前記Ｐセルを介して送信される第１ダウンリンクサブフレームのサブフレームバウンダリタイミングと、前記Ｓセルを介して送信される第２ダウンリンクサブフレームのサブフレームバウンダリタイミングに基づいてさらに決定される、請求項１に記載の端末のアップリンク送信方法。
【請求項６】
無線信号を送信及び受信するＲＦ(ｒａｄｉｏ ｆｒｅｑｕｅｎｃｙ)部と、
前記ＲＦ部と選択的に連結されるプロセッサとを含み、
前記プロセッサは、
Ｐ（プライマリ）セルに対するプライマリタイミングアドバンスコマンド（ＴＡＣ）及びＳ（セコンダリ）セルに対するセコンダリタイミングアドバンスコマンド（ＴＡＣ）を受信し、
前記プライマリＴＡＣと前記セコンダリＴＡＣに基づいて決定される、前記Ｐセルと前記Ｓセルのタイミング差に基づいて前記Ｓセルに関するアップリンクデータを送信するか否かを決定し、
前記決定に基づいて前記アップリンク送信を実行し
前記Ｐセルと前記Ｓセルとの前記タイミング差が閾値を超える場合、端末は前記Ｓセルに関する前記アップリンク送信を実行しない、端末。
【請求項７】
前記Ｐセルと前記Ｓセルのタイミング差が前記閾値を超えない場合、前記端末は前記Ｓセルに関する前記アップリンク送信を実行する、請求項６に記載の端末。
【請求項８】
前記タイミング差に拘らず、前記端末は前記Ｐセルに関する前記アップリンク送信を常に実行する、請求項６に記載の端末。
【請求項９】
前記プライマリＴＡＣは、プライマリタイミングアドバンスグループのための情報であり、前記セコンダリＴＡＣは、セコンダリタイミングアドバンスグループのための情報である、請求項６に記載の端末。
【請求項１０】
前記タイミング差は、前記Ｐセルを介して送信される第１ダウンリンクサブフレームのサブフレームバウンダリタイミングと、前記Ｓセルを介して送信される第２ダウンリンクサブフレームのサブフレームバウンダリタイミングに基づいてさらに決定される、請求項６に記載の端末。